(57)【要約】【課題】      布地の暖かみや柔らかさ、造形の愛らしさなど縫いぐるみの特質を活かしたまま、乳幼児やペット用の縫いぐるみおもちゃとして、縫いぐるみに面白みを与えること。【解決手段】  通し孔３を形成した保持側縫いぐるみ２と、該通し孔３に挿通した棒状部５及び棒状部５の両端側に保持側縫いぐるみ２と当接して棒状部５を抜止めする膨大部６とを形成した可動側縫いぐるみ４と、を分離不能に一体に組み合わせた。そのため、一方が他方に対して可動となり、単一の縫いぐるみとした場合には得られない動きの変化による面白みを演出できるとともに、取り外しができないため一方が紛失することもない。さらに、可動側縫いぐるみ４の棒状部５を、保持側縫いぐるみ２の通し孔３の両孔端から突出する長さで形成したため、一方が他方に対して回転可能でスライド可能となり、面白みをさらに豊富に演出できる。【選択図】    図１
2005224468.tif 000002
【特許請求の範囲】
【請求項１】
通し孔を形成した保持側縫いぐるみと、該通し孔に挿通した棒状部及び棒状部の両端側に保持側縫いぐるみと当接して棒状部を抜止めする膨大部とを形成した可動側縫いぐるみと、を分離不能に一体に組み合わせた縫いぐるみおもちゃ。
【請求項２】
通し孔を有し、肉塊、ハート形、人や動物などの少なくとも胴体部分など、ある形態要素を模した保持側縫いぐるみと、該通し孔に挿通した棒状部及び棒状部の両端側に保持側縫いぐるみと当接して棒状部を抜止めする膨大部とを有し、骨、矢、人や動物等の両手若しくは両足など、該形態要素との組合せにおいて関連性のある他の形態要素を模した可動側縫いぐるみと、を分離不能に一体に組み合わせた縫いぐるみおもちゃ。
【請求項３】
可動側縫いぐるみの棒状部を、保持側縫いぐるみの通し孔の両孔端から突出する長さで形成し、可動側縫いぐるみを保持側縫いぐるみに対してスライド可能とした請求項１又は請求項２記載の縫いぐるみおもちゃ。
【請求項４】
通し孔を形成した保持側縫いぐるみと、該通し孔に挿通する棒状部及び棒状部の両端側で保持側縫いぐるみと当接して棒状部を抜止めする膨大部とを形成した可動側縫いぐるみと、を分離不能に一体に組み合わせた縫いぐるみおもちゃの製造方法であって、
次の１〜５の各工程を実行して保持側縫いぐるみを形成する工程
１．該通し孔に対応する第１布地と、通し孔以外の部分をなす第２布地とを用意し、通し孔における一方の孔端側にそれぞれ対応する第１布地の一辺及び第２布地の一辺とを縫合してベース地を形成し、
２．この縫合部位の両端が重なるようにベース地の２つの対辺を重ね合わせ、重ね合わされた対辺の一部を折り返し口とし、該折り返し口を除いて重ね合わせた対辺を縫合して筒状布を形成し、
３．筒状布の両端の開口端同士を重ね合わせて縫合し、中表状態の保持側縫いぐるみ用外皮を形成し、
４．中表状態の保持側縫いぐるみ用外皮を、前記折り返し口にて折り返して外表状態とし、そして
５．該折り返し口から充てん材を注入した後、折り返し口を縫い閉じる
次の１〜４の各工程を実行して可動側縫いぐるみを形成する工程
１．可動側縫いぐるみ用布地を折り返し口を除き縫合して、中表状態の可動側縫いぐるみ用外皮を形成し、
２．該折り返し口にて折り返して外表状態とし、
３．外表状態の可動側縫いぐるみ用外皮を、保持側縫いぐるみの通し孔に通して、該通し孔の両端から可動側縫いぐるみ用外皮の膨大部を各々突き出した状態におき、そして
４．可動側縫いぐるみ用外皮の前記折り返し口から充てん材を注入した後、折り返し口を縫い閉じる
を実行して、保持側縫いぐるみと可動側縫いぐるみとを分離不能に一体に組み合わせたことを特徴とする縫いぐるみおもちゃの製造方法。
【請求項５】
外表状態の可動側縫いぐるみ用外皮を、保持側縫いぐるみの通し孔に通す工程を、該保持側縫いぐるみの充てん材を注入し、その折り返し口を縫い閉じた後に行う請求項４記載の縫いぐるみおもちゃの製造方法。
【請求項６】
保持側縫いぐるみの形成工程において、前記折り返し口を、前記重ね合わされた対辺の両端に設けて、前記重ね合わされた対辺の両端を縫い残して筒状布を形成する請求項４又は請求項５記載の縫いぐるみおもちゃの製造方法。
【請求項７】
保持側縫いぐるみの形成工程において、前記折り返し口として縫い残した部分のうち、保持側縫いぐるみへの充てん材の注入前に、通し孔以外の部分をなす第二布地側の外縁を先に縫合しておく工程を実行する請求項６記載の縫いぐるみおもちゃの製造方法。
【発明の詳細な説明】
【技術分野】
【０００１】
本発明は、複数の縫いぐるみを組合せてなる縫いぐるみおもちゃと、その製造方法に関するものである。
【背景技術】
【０００２】
縫いぐるみは、動物や人物などを形どった布地に充てん材が詰め込まれていて、布地の暖かみや柔らかさ、造形の愛らしさなどから、人の身近におかれて利用されるものである。このような縫いぐるみについては、本出願人も、いろいろなポーズが取れる縫いぐるみの製造方法を提案している（特許文献１）。
【特許文献１】特開平９−１７３６４８号公報
【発明の開示】
【発明が解決しようとする課題】
【０００３】
一般的に、これらの縫いぐるみは外皮が布地で内部がパンヤや綿などの充てん材からなるため、外力を加えれば変形するものの、力を除けば元に戻ってしまうことから、常に一定のポーズへと容易に復元して変化に乏しいという特徴がある。そのため、本出願人は先の特開平９−１７３６４８号公報（特許文献１）記載の発明において、２種の異なる充てん材を用いることにより、置いた状態のポーズを変えることができる縫いぐるみについて提案しており、この縫いぐるみを用いれば多様な陳列状態を楽しむことができるようになった。
【０００４】
しかしながらこれらの従来の縫いぐるみは、人や動物の形などを模したものが多く、装飾品として室内に置いたり、持ち歩いたりして使うことはあっても、縫いぐるみを使ったおもちゃ、つまり“縫いぐるみおもちゃ”として遊ぶには、やや面白みに欠けていた。
【０００５】
一方、縫いぐるみは柔らかいことから、ペットが放りなげても器物に傷を与えることがなく、また危険でもないため、ペット用のおもちゃとして好ましいものではあるが、縫いぐるみ自体が変化に乏しいため飽きやすく、ペット用おもちゃとしては殆ど利用されていなかった。
【０００６】
本発明は、布地の暖かみや柔らかさ、造形の愛らしさなど縫いぐるみの特質を活かしたまま、乳幼児やペット用の縫いぐるみおもちゃとして利用するためにはどう工夫した良いかを考えてなされたものであり、縫いぐるみに面白みを与えることを目的としたものである。
【課題を解決するための手段】
【０００７】
上記目的を達成すべく本発明は、通し孔を形成した保持側縫いぐるみと、該通し孔に挿通した棒状部及び棒状部の両端側に保持側縫いぐるみと当接して棒状部を抜止めする膨大部とを形成した可動側縫いぐるみと、を分離不能に一体に組み合わせた縫いぐるみおもちゃを提供する。
【０００８】
本発明の縫いぐるみおもちゃによれば、通し孔を形成した保持側縫いぐるみと、該通し孔に挿通した棒状部及び棒状部の両端側に保持側縫いぐるみと当接して棒状部を抜止めする膨大部とを形成した可動側縫いぐるみと、を分離不能に一体に組み合わせたため、何れか一方の縫いぐるみが何れか他方の縫いぐるみに対して可動となる。特に、保持側縫いぐるみの通し孔の中で、可動側縫いぐるみの棒状部が回転可能となる。そのため、縫いぐるみどうしの組合せに動きの変化があるおもちゃとしての面白みを演出できるようになり、乳幼児やペット用のおもちゃとして好適である。また、両縫いぐるみが分離不能であり、遊んでいても何れか一方の縫いぐるみが何れか他方の縫いぐるみに対して外れることがないため、ペット用おもちゃとしたときに分離した一方を人が集めたり、分離した一方をどこかに置き忘れたりすることもない。
【０００９】
この縫いぐるみおもちゃは、通し孔を有し、肉塊、ハート形、又は人や動物などの少なくとも胴体部分など、ある形態要素を模した保持側縫いぐるみと、該通し孔に挿通した棒状部及び棒状部の両端側に保持側縫いぐるみと当接して棒状部を抜止めする膨大部とを有し、骨、矢、又は人や動物などの両手若しくは両足など、該形態要素との組合せにおいて関連性のある他の形態要素を模した可動側縫いぐるみと、を分離不能に一体に組み合わせた縫いぐるみおもちゃとすることができる。
【００１０】
保持側縫いぐるみを肉塊とし、可動側縫いぐるみを骨とした、全体として骨付き肉を呈する本発明、保持側縫いぐるみをハート形とし、可動側縫いぐるみをこのハート形を射抜く矢とした本発明、保持側縫いぐるみを人や動物などの少なくとも胴体部分とし、可動側縫いぐるみを両手若しくは両足とし、全体として人や動物を呈する本発明など、前記本発明の縫いぐるみおもちゃは、保持側縫いぐるみの形態要素と、この形態要素との組合せにおいて関連性のある他の形態要素を模した可動側縫いぐるみとの組合せにより、様々なデザインのおもちゃとして構成することができる。前述のような骨付き肉、射抜かれたハート、人、動物などは、通常、単一の縫いぐるみとして形成することも可能ではある。しかしながら、本発明によれば、各形態要素を別体の縫いぐるみにて構成し、それらが相互に可動となることで、単一の縫いぐるみとした場合には得られない動きの変化があるおもちゃとしての面白みを演出できるようになる。なお、保持側縫いぐるみを胴体部分とした場合、頭や手となる部分については保持側縫いぐるみに予め縫いつけることで頭や手も有する保持側縫いぐるみとしても良いし、保持側縫いぐるみとは別体の縫いぐるみとして頭や手を製造して、保持側縫いぐるみとこれらの縫いぐるみを別途一体とすることも可能である。
【００１１】
そして、この縫いぐるみおもちゃは、可動側縫いぐるみの棒状部を、保持側縫いぐるみの通し孔の両孔端から突出する長さで形成し、可動側縫いぐるみを保持側縫いぐるみに対してスライド可能とすることができる。
【００１２】
可動側縫いぐるみの棒状部を、保持側縫いぐるみの通し孔の両孔端から突出する長さで形成したため、棒状部が通し孔の両孔端から突出した長さ分だけ、可動側縫いぐるみを保持側縫いぐるみに対してスライド可能となる。すなわち、保持側縫いぐるみの通し孔の中を可動側縫いぐるみの棒状部が、棒状部の長さ方向に沿って移動可能となる。そのため、何れか一方の縫いぐるみに対して何れか他方の縫いぐるみが回転可能、かつ、スライド可能となり、動きの変化のパターンが増えておもちゃとしての面白みを豊富に演出することができるようになる。この点につき、例えば保持側を胴体部分とし、可動側を両足とした場合には、胴体から突出する片足をスライドさせて長くすると他方の片足は短くなるので、胴体から突出する長さが各片足において伸縮するごとく変化する面白みを演出できる。また、保持側をハート形とし、可動側を矢とした場合には、ハートを射抜いた矢をスライドさせることで、矢がハートを射抜く過程を表現することができる。
【００１３】
また、本発明は、通し孔を形成した保持側縫いぐるみと、該通し孔に挿通する棒状部及び棒状部の両端側で保持側縫いぐるみと当接して棒状部を抜止めする膨大部とを形成した可動側縫いぐるみと、を分離不能に一体に組み合わせた縫いぐるみおもちゃの製造方法を提供する。この縫いぐるみおもちゃの製造方法は、以下のような、保持側縫いぐるみの形成工程と、可動側縫いぐるみの形成工程と、これらを組み合わせる工程とからなる。
【００１４】
すなわち、保持側縫いぐるみの形成工程は、〔手順１〕該通し孔に対応する第１布地と、通し孔以外の部分をなす第２布地とを用意し、通し孔における一方の孔端側にそれぞれ対応する第１布地の一辺及び第２布地の一辺とを縫合してベース地を形成し、〔手順２〕この縫合部位の両端が重なるようにベース地の２つの対辺を重ね合わせ、重ね合わされた対辺の一部を折り返し口とし、該折り返し口を除いて重ね合わせた対辺を縫合して筒状布を形成し、〔手順３〕筒状布の両端の開口端同士を重ね合わせて縫合し、中表状態の保持側縫いぐるみ用外皮を形成し、〔手順４〕中表状態の保持側縫いぐるみ用外皮を、前記折り返し口にて折り返して外表状態とし、そして〔手順５〕該折り返し口から充てん材を注入した後、折り返し口を縫い閉じる、各手順からなる。
【００１５】
また、可動側縫いぐるみの形成工程は、〔手順１〕可動側縫いぐるみ用布地を折り返し口を除き縫合して、中表状態の可動側縫いぐるみ用外皮を形成し、〔手順２〕該折り返し口にて折り返して外表状態とし、〔手順３〕外表状態の可動側縫いぐるみ用外皮を、保持側縫いぐるみの通し孔に通して、該通し孔の両端から可動側縫いぐるみ用外皮の膨大部を各々突き出した状態におき、そして〔手順４〕可動側縫いぐるみ用外皮の前記折り返し口から充てん材を注入した後、折り返し口を縫い閉じる、各手順からなる。
【００１６】
本発明の縫いぐるみおもちゃの製造方法によれば、保持側縫いぐるみの通し孔に、充てん材を詰める前の可動側縫いぐるみ用外皮を通した後、可動側縫いぐるみに充てん材を注入するため、両縫いぐるみが互いに可動で、かつ、互いに分離しない縫いぐるみおもちゃを得ることができる。また、保持側縫いぐるみ用の外皮を、通し孔に対応する第一布地と通し孔以外の部分である外覆部をなす第二布地とから形成したため、保持側縫いぐるみにおいて、その通し孔を適当な位置に設けることができる。そのため、保持側縫いぐるみを胴体部分とし、通し孔を貫く可動側縫いぐるみを両足とするような縫いぐるみおもちゃとした場合に、胴体部分の端から両足が出ているような、通し孔を保持側縫いぐるみの中央ではなく端に設けた縫いぐるみとすることができる。さらに、ベース地の２つの対辺を重ね合わせる際にその一部を折り返し口として残して縫合し、その後筒状布の両端を縫合して保持側縫いぐるみ用外皮を形成したため、通し孔を有する形状の保持側縫いぐるみ用外皮を中表状態から外表状態に折り返すことが可能となり、通し孔を有する保持側縫いぐるみを容易に形成することができる。
【００１７】
この縫いぐるみおもちゃの製造方法においては、外表状態の可動側縫いぐるみ用外皮を、保持側縫いぐるみの通し孔に通す工程を、該保持側縫いぐるみの充てん材を注入し、その折り返し口を縫い閉じた後に行うことができる。
【００１８】
外表状態の可動側縫いぐるみ用外皮を、保持側縫いぐるみの通し孔に通す工程を、該保持側縫いぐるみの充てん材を注入し、その折り返し口を縫い閉じた後に行うため、可動側縫いぐるみの製造工程とは別個独立に予め保持側縫いぐるみを完成させておくことができる。そのため、保持側縫いぐるみの折り返し口を縫合する工程を、可動側縫いぐるみに邪魔されることなく実行することができ、折り返し口の縫合工程が容易である。一方、場合によっては、外表状態の可動側縫いぐるみ用外皮を、保持側縫いぐるみの通し孔に通す工程を、該保持側縫いぐるみの充てん材を注入する前に行うこともできる。このようにすれば、保持側縫いぐるみと可動側縫いぐるみの製造を並行して行うことができるため、製造工程の多様化を図ることができ、遅れた工程を優先的に進めることができ、製造時間の短縮を図ることができる。
【００１９】
また、この縫いぐるみおもちゃの製造方法においては、保持側縫いぐるみの形成工程において、折り返し口を、ベース地の重ね合わされた対辺の両端に設けて、この重ね合わされた対辺の両端を縫い残して筒状布を形成することができる。
【００２０】
保持側縫いぐるみの折り返し口を、ベース地の重ね合わされた対辺の両端に設けて、この重ね合わされた対辺の両端を縫い残して筒状布を形成したため、後に続く筒状布の両端を縫合する作業が容易になるとともに、折り返し作業も容易に行うことができる。そのため、保持側縫いぐるみを簡単に製造することができる。
【００２１】
さらに、保持側縫いぐるみの形成工程において、折り返し口として縫い残した部分のうち、充てん材の注入前に、通し孔以外の部分である外覆部をなす第二布地側の外縁を先に縫合しておく工程を実行することができる。
【００２２】
折り返し口の縫い残し部分のうち、外覆部となる第二布地側の外縁を先に縫合したため、縫いぐるみおもちゃの外側に露出して、目につき易い外覆部となる部分を内側から縫合することができ、外覆部の縫製をきれいに仕上げることができる。そのため、見た目に優れた縫いぐるみおもちゃを得ることができる。
【発明の効果】
【００２３】
本発明の縫いぐるみおもちゃによれば、縫いぐるみに面白みが増し、乳幼児やペットの関心を引くことができるため、置物として鑑賞用として利用するだけでなく、乳幼児やペット用のおもちゃとしても利用できる。
【００２４】
本発明の縫いぐるみおもちゃの製造方法によれば、互いに可動部分を有しながら分離することがない縫いぐるみおもちゃを簡単に製造することができ、面白みのある縫いぐるみおもちゃを低コストで製造することができる。
【発明を実施するための最良の形態】
【００２５】
以下、本発明の実施形態について図面を参照しつつ説明する。
【００２６】
第１実施形態〔図１〕；  第１実施形態による「スライドボーン」と名付けた縫いぐるみおもちゃ１の外観斜視図を図１に示す。この縫いぐるみおもちゃ１は、中央に“肉”が付いた“骨”の形状をした縫いぐるみおもちゃであり、骨と肉とを骨の長さ方向でスライドさせることができ、骨の周方向で回転させることができるが、スライドさせても肉が骨からは抜け落ちないように組み合わされたものである。即ち“肉”に相当する保持側縫いぐるみ２は、通し孔３を有する中空円筒状に形成された縫いぐるみであり、“骨”に相当する可動側縫いぐるみ４は、その中央部が棒状に形成されて棒状部５をなし、両端には、保持側縫いぐるみ２と当接して棒状部５を抜止めする膨大部６，６を有する縫いぐるみである。そして、両縫いぐるみ２，４は、保持側縫いぐるみ２の通し孔３に可動側縫いぐるみ４の棒状部５が挿通し、この棒状部５の長さが通し孔３の両孔端から突出する長さとして組み合わされているため、保持側縫いぐるみ２が、可動側縫いぐるみ４の棒状部５を、その長さ方向にスライド移動することができ、また、棒状部５の軸回りに回転するすることができる。そして、膨大部６を通し孔３に通すことができないため、可動側縫いぐるみ４は保持側縫いぐるみ２から外れることがなく、両縫いぐるみ２，４は互いに分離不能になっている。但し、ここでいう分離不能の「分離」とは膨大部６が保持側縫いぐるみ２と当接して抜止めされることであるが、膨大部６を保持して振り回す程度の外力が加わっても保持側縫いぐるみ２が外れない程度の結合状態にあることをいい、可動側縫いぐるみ４を取り外す目的で膨大部６を押しつぶして通し孔３を通し、可動側縫いぐるみ４を保持側縫いぐるみ２から意図的に取り外すことによる「分離」までは含まない趣旨である。
【００２７】
この縫いぐるみおもちゃ１の製造は以下のようにして行う。まず、保持側縫いぐるみ２と、可動側縫いぐるみ４のそれぞれについて、図２〜図４に示した型紙を起こし、これに合わせて打ち抜き型を作成した後、適宜の布地を重ねて打ち抜いて裁断し、縫いぐるみ用の外皮となる布地を得る。図２で示した矩形状の第一布地７は、主に保持側縫いぐるみ２の通し孔３に対応する部位となり、図３で示した略ラグビーボール状の断片が連なった形状でなる第二布地９は、通し孔３以外の部分である外覆部１０をなす。また、図４で示した骨状の第三布地１１は、これを２枚重ねて用いて可動側縫いぐるみ４となる。
【００２８】
保持側縫いぐるみ２の製造は、まず、第二布地９の外縁ｂ−ｆ同士、ｃ−ｇ同士、ｄ−ｈ同士、及びＢ−Ｆ同士、Ｃ−Ｇ同士、Ｄ−Ｈ同士を予め縫い合わせておく。次にこの第二布地９と、矩形状の第一布地７を縫い合わせる。即ち図５で示すように、通し孔３における一方の孔端側に対応する第一布地７の一辺となる外縁Ａ−Ｂ−Ｃ−Ｄ−Ｅと、同じ側の第二布地９の一辺となる外縁Ａ−Ｂ−Ｃ−Ｄ−Ｅとが互いに重なるように縫合する。そして、第一布地７と第二布地９とからなるベース地１２を得る。
【００２９】
次に、第一布地７と第二布地９の縫合部位であるＡ−Ｂ−Ｃ−Ｄ−Ｅの両端である外縁Ａと外縁Ｅが重なるようにベース地１２の２つの対辺ａ−Ａ−ａとｅ−Ｅ−ｅを重ね合わせる。即ち、第二布地９の外縁ａ−Ａとｅ−Ｅ、第一布地７の外縁Ａ−ａとＥ−ｅとが重なるように、図５の矢印Ｒの方向に折り返してベース地１２を筒状にするのであるが、この時、図６で示すように、第二布地９の外縁ｊ−Ａとｋ−Ｅ、第一布地７の外縁Ａ−ｍとＥ−ｎとを縫い合わせるに止め、第二布地９の外縁ａ−ｊとｅ−ｋ、第一布地７の外縁ｍ−ａとｎ−ｅとは縫わずにおき、両端を少し残すようにしておく。このようにして、両端に縫い残しを有する筒状布１３を得る。この縫い残しは、縫い代が外側に出ていた中表状態にある縫いぐるみ用外皮を折り返して、縫い代が内側に入る外表状態にするための折り返し口１４となる部分である。折り返し口１４の形成のために、第一布地７と第二布地９の両端を残して縫合する理由は、第一布地７と第二布地９との縫合部Ａ−Ｂ−Ｃ−Ｄ−Ｅの端となる外縁Ａと外縁Ｅをさらに重ねて縫うことができるとともに、ベース地１２の外縁ｊ−ｍとｋ−ｎを一度に縫い合わせできること、さらに、後工程で筒状布１３の両開口端を合わせて縫製する際の作業が容易であることなどが挙げられる。
【００３０】
次に、図７で示すように、筒状布１３の両端にある２つの開口端ａ−ｂ−ｃ−ｄ−ｅ同士が互いにその符号が重なるように縫い合わせ、図８で示す中表状態の保持側縫いぐるみ２用外皮を形成する。そして、縫い残してあった、開口ｊ(ｋ)−ａ−ｍ(ｎ)−ｅ−ｊ(ｋ)を折り返し口１４として筒状布１３の表裏をひっくり返し、中表状態から外表状態にする。それから、折り返し口１４として縫い残した部分のうち、外覆部１０となる第二布地９側の外縁ａ−ｊとｅ−ｋとを縫合する。この段階で折り返し口１４の一部を縫合するのは次の理由による。まず、折り返し口１４とするためには所定の大きさの開口とした方が作業性が良いため、開口を比較的大きく準備しておく必要がある。しかし、充てん材の注入にはそれほど大きな開口は必要ではないし、外覆部１０となる部位は人目につく部位であるため、なるべく中表の状態で縫製した方が見た目が良い。そのため、広く開口させていた折り返し口１４の開口を利用して、外覆部１０となる第二布地９側の外縁ａ−ｊとｅ−ｋとを、その開口内側から縫うことで、外覆部１０の縫合を見た目良く行うことができるのである。最後に、残った折り返し口１４から綿などの充てん材を詰めた後、その折り返し口１４を外側から縫い閉じることにより、保持側縫いぐるみ２が完成する。
【００３１】
一方、可動側縫いぐるみ４は、図４で示した第三布地１１を２枚準備し、互いに重ね合わせてその外縁部分を縫い合わせる。但し、図４で示すｏ−ｐ部分は縫い残しておく。こうして得た袋状となった可動側縫いぐるみ４用外皮をｏ−ｐ部分を折り返し口１５として中表状態から外表状態にひっくり返す。次に、図９で示すように、可動側縫いぐるみ４用外皮を外表状態で先の保持側縫いぐるみ２の通し孔３に通して、その両端を通し孔３の両端から突き出した状態におく。この状態では、可動側縫いぐるみ４用外皮に充てん材が注入されていないため、容易に通し孔３の中を通すことができる。最後に、折り返し口１５から綿などの充てん材を詰め、折り返し口１５としたｏ−ｐ部分を縫い閉じる。
【００３２】
以上の工程を経て保持側縫いぐるみ２と可動側縫いぐるみ４とを製造することにより、保持側縫いぐるみ２の通し孔３に可動側縫いぐるみ４が貫通した状態で、かつ、互いの縫いぐるみ２，４が外れない状態にある縫いぐるみおもちゃ１が完成する。
【００３３】
このようにして得られた縫いぐるみおもちゃ１は、保持側縫いぐるみ２と可動側縫いぐるみ４が互いに可動、つまり回転可能でスライド可能でありながら、互いに外れない構造であるため、動く部分を有することで縫いぐるみの面白みが増大し、乳幼児やペットのおもちゃとして好適に用いることができる。
【００３４】
上述の縫いぐるみおもちゃ１は、保持側縫いぐるみ２の製造工程において、折り返し口１４を筒状布１３の両端に設けたが、特に両端でなくともベース地１２を二つ折りにして重ね合わせた外縁の一部であれば良い。また、可動側縫いぐるみ４の製造工程において、保持側縫いぐるみ２が完成した後、保持側縫いぐるみ２の通し孔３に可動側縫いぐるみ４を通すこととしたが、保持側縫いぐるみ２用外皮を中表状態から外表状態にひっくり返した後、充てん材を注入する前の段階の保持側縫いぐるみ２を用いて、その通し孔３に可動側縫いぐるみ４を通すことも可能である。この工程が完了すれば、その後、充てん材の注入工程を、保持側縫いぐるみ２と可動側縫いぐるみ４の何れを先に行っても良い。
【００３５】
縫いぐるみ用外皮となる布地や、充てん材は特に素材を限定するものではなく、種々の布地や充てん材を用い、また、幾種類かの素材を組み合わせて用いても良い。また、可動側縫いぐるみ４の膨大部６，６に鳴き笛を挿入して、膨大部６，６を押圧すると音が生じるようにしても良い。
【００３６】
第２実施形態〔図１０〕；  第２実施形態による「スライドクマ」と名付けた縫いぐるみおもちゃ２１の外観斜視図を図１０に示す。この縫いぐるみおもちゃ２１は、くまの胴体部分に大きな両足がついた縫いぐるみおもちゃであり、両足をその長さ方向にスライドさせることができ、また、両足を回転させることもできるが、両足をスライドさせても胴体部分からは抜け落ちないように組み合わされたものである。即ち“胴体部分”に相当する保持側縫いぐるみ２２は、通し孔３を有する縫いぐるみであり、“両足”に相当する可動側縫いぐるみ２３は、その中央部がやや湾曲した棒状に形成されて棒状部５をなし、両端には、保持側縫いぐるみ２２と当接して棒状部５を抜止めする足先に相当する膨大部６，６を有する縫いぐるみである。
【００３７】
この縫いぐるみおもちゃ２１の製造も第一実施形態で示した縫いぐるみおもちゃ１と同様の工程を実行することにより行うことができるが、第一実施形態とは形状の異なる布地を用いるため、それらを図１１〜図１４に示す。図１１には、保持側縫いぐるみ２２の通し孔３に対応する部位となる第一布地２４を、図１２には、保持側縫いぐるみ２２の通し孔３以外の外覆部１０となる第二布地２５を、そして、図１３には、可動側縫いぐるみ２３となる第三布地２６を、それぞれ示す。また、本実施形態の「スライドクマ」では、クマの耳や手、尾となる布地２７，２８，２９も用いるため、耳用布地２７、手用布地２８、尾用布地２９を図１４に示す。
【００３８】
保持側縫いぐるみ２２の製造において、まず、耳や手、尾の部分を先に縫製し、ひっくり返して充てん材を詰めておく。そして、図１５で示すように、第二布地２５の外縁Ｂ−Ｈ同士の間に手用布地２８でできた手を挟んで縫製し、耳用布地２７でできた耳は外縁Ｄ−Ｃ，ｄ−ｃの部分で縫製し、尾用布地２９でできた尾は、外縁Ｆ−ｆの位置で垂直に挟んで縫製する。そして、外縁Ｅ−Ｍ同士、Ｄ−Ｋ同士、Ｄ−Ｊ同士、及びｅ−ｍ同士、ｄ−ｋ同士、ｄ−ｊ同士を縫い合わせ、さらに、Ｃ−Ｃ同士、ｃ−ｃ同士を縫い合わせておく。次に、この第二布地２５の外縁ａ−ｂ−ｃ−ｅ−ｆと第一布地２４の外縁ａ−ｂ−ｃ−ｅ−ｆとが互いに重なるように縫い合わせる。そして第一布地２４と第二布地２５とからなるベース地を得る。
【００３９】
次に、第一布地２４の外縁ａと外縁ｆ、第二布地２５の外縁ａと外縁ｆとが重なるようにベース地を折り、重なった辺の両端を残して縫合する。これにより得られた筒状布の両開口端を重ね合わせて縫合し、縫い残した折り返し口にて表裏を裏返し、その後も第一実施形態と同じ手順に従い、充てん材の注入、折り返し口の縫合を行って保持側縫いぐるみ２２を得る。
【００４０】
可動側縫いぐるみ２３も第一実施形態と同じようにして第三布地２６から製造する。このようにして得られた縫いぐるみおもちゃ２１は、保持側縫いぐるみ２２と可動側縫いぐるみ２３が互いに可動、つまり回転可能でスライド可能であるため、可動側縫いぐるみ２３である両足を回転させたり、一方の足を長くしたり短くしたりして遊ぶことができる。また、可動側縫いぐるみ２３である両足が保持側縫いぐるみ２２である胴体部分から外れることもなく、クマのかわいらしさが失われることはない。そのため、縫いぐるみおもちゃとして面白みがあり、乳幼児やペットのおもちゃとして好適に用いることができる。この第２実施形態で示した縫いぐるみおもちゃ２１も第１実施形態で示したのと同様の変形が可能である。
【００４１】
その他の実施形態；  第１、第２実施形態で示した縫いぐるみおもちゃ１，２１は、本発明の一実施形態にすぎず、２つの縫いぐるみが互いに可動で、互いに分離できないような形状での変形が可能である。例えば、保持側縫いぐるみをハートの形状とし、可動側縫いぐるみを矢の形状としたり、クマではなく犬にしたりすることができる。また、前記実施形態では、何れも「可動」の態様として回転且つスライド可能な例を示したが、通し孔と棒状部とを、例えば周方向で相互に回転不可能な多角形などの形状とすることで回転不可能とし、スライドのみ可能とすることもできるし、逆に棒状部の長さを通し孔の孔軸方向に沿う長さと略同一とすることでスライド不可能とし、回転のみ可能とすることもできる。
【図面の簡単な説明】
【００４２】
【図１】本発明の一実施形態による縫いぐるみおもちゃの外観斜視図である。
【図２】図１の縫いぐるみおもちゃ用の外皮となる布地の平面図である。
【図３】図１の縫いぐるみおもちゃ用の外皮となる別の布地の平面図である。
【図４】図１の縫いぐるみおもちゃ用の外皮となるさらに別の布地の平面図である。
【図５】図１の縫いぐるみおもちゃ製造の一工程を示す平面図である。
【図６】図１の縫いぐるみおもちゃ製造の一工程を示す外観斜視図である。
【図７】図１の縫いぐるみおもちゃ製造の一工程を示す外観斜視図である。
【図８】図１の縫いぐるみおもちゃ製造の一工程を示す外観斜視図である。
【図９】図１の縫いぐるみおもちゃ製造の一工程を示す外観斜視図である。
【図１０】本発明の別の実施形態による縫いぐるみおもちゃの外観斜視図である。
【図１１】図１０の縫いぐるみおもちゃ用の外皮となる布地の平面図である。
【図１２】図１０の縫いぐるみおもちゃ用の外皮となる別の布地の平面図である。
【図１３】図１０の縫いぐるみおもちゃ用の外皮となるまた別の布地の平面図である。
【図１４】保持側縫いぐるみを装飾する部分として用いる布地の平面図である。
【図１５】図１０の縫いぐるみおもちゃ製造の一工程を示す外観斜視図である。
【符号の説明】
【００４３】
１，２１    ぬいぐるみおもちゃ
２，２２    保持側縫いぐるみ
３    通し孔
４，２３    可動側縫いぐるみ
５    棒状部
６    膨大部
７，２４    第一布地
９，２５    第二布地
１０    外覆部
１１，２６    第三布地
１２    ベース地
１３    筒状布
１４，１５    折り返し口
２７，２８，２９  布地
【図１】
2005224468.tif 000003
【図２】
2005224468.tif 000004
【図３】
2005224468.tif 000005
【図４】
2005224468.tif 000006
【図５】
2005224468.tif 000007
【図６】
2005224468.tif 000008
【図７】
2005224468.tif 000009
【図８】
2005224468.tif 000010
【図９】
2005224468.tif 000011
【図１０】
2005224468.tif 000012
【図１１】
2005224468.tif 000013
【図１２】
2005224468.tif 000014
【図１３】
2005224468.tif 000015
【図１４】
2005224468.tif 000016
【図１５】
2005224468.tif 000017